(57)【要約】【課題】猟銃を猟銃ロッカーおよび弾丸を装弾ロッカーに保管する場合において、留守等で設置場所に人が不在や就寝中の場合などは保管した猟銃や弾丸の盗難を防ぐ事が困難であることから、異常感知時には外部の指定通報先への通報、映像の撮影および通報先への送信、アラーム発生等の機能を備えた防犯装置によって盗難を未然に防ぐ事を可能にする。【解決手段】外部との通信を行う通信手段１、異常を感知するセンサー２、異常信号を入力して様々な処理を行う計算手段３、映像を撮影するカメラ４、映像を記録する記録手段５、アラームを発するスピーカー６、電源を供給する電源部７、電源部７の遮断時に装置に電源を供給する予備電源部８、電源部７の電源の遮断を監視する電源監視手段９を備えることで、異常感知時には指定通報先への通報、映像の撮影および通報先への送信、アラーム発生等の機能を備えた防犯装置によって盗難を未然に防ぐ事を可能にする。【選択図】図１
2017146650.tif 000002
【特許請求の範囲】
【請求項１】
この発明は、猟銃を猟銃ロッカーおよび弾丸を装弾ロッカーに保管する場合において、インターネットや通信回線等を介して外部と通信を行う通信手段１、ロッカーや施錠の破壊等の行為により発生する音や衝撃や振動等の異常を感知するセンサー２、センサー２から異常信号を入力して処理を行う計算手段３、異常時に映像を撮影するカメラ４、異常時にカメラ４の撮影した映像を記録するＳＤカードやハードディスク等の記録手段５、異常時に大音量のアラームを発するスピーカー６、装置を動作させるための電源を供給する電源部７、電源部７の供給する電源が遮断された時に装置に電源を供給する予備電源部８、電源部７から供給される電源を常に監視して遮断時には電源を予備電源部８に切り替える電源監視手段９を備えることを特徴とする猟銃ロッカーまたは装弾ロッカーに装着するセンサーを利用した盗難防止装置である。
【発明の詳細な説明】
【技術分野】
【０００１】
この発明は、猟銃を猟銃ロッカーおよび弾丸を装弾ロッカーに保管する場合において、センサー２がロッカーや施錠の破壊等の行為により発生する音や衝撃や振動等の異常を感知すると計算手段３に異常信号を出力し、計算手段３はスピーカー６に大音量のアラームを発生させ、通信手段１にインターネットや通信回線等を介して予め設定してある通報先に異常を通報させて、カメラ４の映像を記録手段５に記録を開始し、カメラ４の映像を通信手段１にインターネットや通信回線等を介して通報先に送信させる。電源監視手段９は常に電源部７を監視し、電源部７の遮断を感知した場合は速やかに電源を予備電源部８に切り替えて装置の正常動作を維持する。
【０００２】
この様に猟銃を猟銃ロッカーおよび弾丸を装弾ロッカーに保管する場合において、ロッカーや施錠の破壊等の行為により発生する音や衝撃や振動等の異常を感知すると大音量のアラームによって周囲に異常を知らせ、予め設定した外部の通報先にも通信回線等を介して速やかに異常を通報し、カメラで撮影した現場の映像を記録および通報先に送信ができ、電源部７の電源を遮断された場合でも内蔵の予備電源部８によって動作することのできる猟銃ロッカーまたは装弾ロッカーに装着するセンサーを利用した盗難防止装置である。
【背景技術】
【０００３】
従来技術による猟銃ロッカーまたは装弾ロッカーに装着する盗難防止装置を図２より説明する。従来、装置ではなく機構的な方法で盗難を防止しており、図２は内閣府令で定める猟銃の保管設備の基準を示した図である。図２に示されるの様に、鋼１ｍｍ以上２１の金属製のロッカーを利用して、扉の上下が同時に固定できるかんぬき機構２２を有し、扉の蝶番を切断されても開けられない装置２３があり、施錠２４は鎌錠でされ、そしてロッカーごと持ち出すことができない様に背面の壁に固定２５して、押入れ等２６の中に隠すことでの盗難防止策である。この様に従来技術による猟銃ロッカーまたは装弾ロッカーに装着する盗難防止装置では、機構的な方法で盗難を防止する方法である。
【先行技術文献】
【非特許文献】
【０００４】
【非特許文献１】（社）全日本指定射撃場協会発行の「猟銃等取扱いの知識と実際」
【発明の概要】
【発明が解決しようとする課題】
【０００５】
図２に示される従来技術による猟銃ロッカーまたは装弾ロッカーに装着する盗難防止装置では、窃盗犯人がバール等の工具や電動工具等によって施錠やロッカーを破壊したり、ロッカーを固定してある壁から剥がすなどの行為によって、内部に保管してある猟銃や弾丸を持ち去るため、窃盗時に大きな音がしなかったり、留守や他の部屋に在宅するなどで猟銃ロッカーや装弾ロッカー設置場所に人が不在であったり、就寝中などの場合などには盗難を防ぐことが困難である。この発明は、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることを目的とする。
【課題を解決するための手段】
【０００６】
この目的を達成するために、この発明は、猟銃を猟銃ロッカーおよび弾丸を装弾ロッカーに保管する場合において、インターネットや通信回線等を介して外部と通信を行う通信手段１、ロッカーや施錠の破壊等の行為により発生する音や衝撃や振動等の異常を感知するセンサー２、センサー２から異常信号を入力して処理を行う計算手段３、異常時に映像を撮影するカメラ４、異常時にカメラ４の撮影した映像を記録するＳＤカードやハードディスク等の記録手段５、異常時に大音量のアラームを発するスピーカー６、装置を動作させるための電源を供給する電源部７、電源部７の供給する電源が遮断された時に装置に電源を供給する予備電源部８、電源部７から供給される電源を常に監視して遮断時には電源を予備電源部８に切り替える電源監視手段９を備える。
【発明の効果】
【０００７】
この発明によれば、猟銃を猟銃ロッカーおよび弾丸を装弾ロッカーに保管する場合において、インターネットや通信回線等を介して外部と通信を行う通信手段１、ロッカーや施錠の破壊等の行為により発生する音や衝撃や振動等の異常を感知するセンサー２、センサー２から異常信号を入力して処理を行う計算手段３、異常時に映像を撮影するカメラ４、異常時にカメラ４の撮影した映像を記録するＳＤカードやハードディスク等の記録手段５、異常時に大音量のアラームを発するスピーカー６、装置を動作させるための電源を供給する電源部７、電源部７の供給する電源が遮断された時に装置に電源を供給する予備電源部８、電源部７から供給される電源を常に監視して遮断時には電源を予備電源部８に切り替える電源監視手段９を備えることによって、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。
【図面の簡単な説明】
【０００８】
【図１】この発明による猟銃ロッカーまたは装弾ロッカーに装着するセンサーを利用した盗難防止装置における装置の構成図である。
【図２】内閣府令で定める猟銃の保管設備の基準を示した図である。
【図３】この発明による猟銃ロッカーまたは装弾ロッカーに装着するセンサーを利用した盗難防止装置における装置のセンサー２が異常を感知した場合の装置の動作手順を説明するフローチャートである。
【図４】この発明による猟銃ロッカーまたは装弾ロッカーに装着するセンサーを利用した盗難防止装置における装置の電源である電源部７の電源が遮断された場合の装置の動作手順を説明するフローチャートである。
【図５】この発明による猟銃ロッカーまたは装弾ロッカーに装着するセンサーを利用した盗難防止装置における装置を実現した一例である。
【発明を実施するための形態】
【０００９】
この発明による猟銃ロッカーまたは装弾ロッカーに装着するセンサーを利用した盗難防止装置における装置構成および動作手順を図１、図３、図４より説明する。図１はこの発明による猟銃ロッカーまたは装弾ロッカーに装着するセンサーを利用した盗難防止装置の構成図であり、図３はセンサー２が異常を感知した場合の装置の動作手順を説明するフローチャートであり、図４は装置の電源である電源部７の電源が遮断された場合の装置の動作手順を説明するフローチャートである。
【００１０】
図３の３１ではセンサー２がロッカーや施錠の破壊等の行為により発生する音や衝撃や振動等の異常を感知すると、３２で計算手段３に信号出力を行い、３３で計算手段３はスピーカー６に大音量のアラームを発生させ、３４で通信手段１にインターネットや通信回線等を介して予め設定してある通報先に異常を通報させて、３５でカメラ４の映像を記録手段５に記録を開始し、３６でカメラ４の映像を通信手段１にインターネットや通信回線等を介して通報先に送信させる。
【００１１】
図４の４２では常に電源監視手段９が電源部７の監視をしており、４１で電源部７が供給する電源が遮断されると、電源監視手段９は電源の遮断を感知して電源を速やかに予備電源部８に切り替えて装置の正常動作を維持する。その後、電源監視手段９は電源部７の電源の供給の復帰を監視し、電源部７からの電源の供給が復帰した場合は速やかに電源を電源部７に切り替えて予備電源部８の充電を開始する。
【００１２】
これによって、この発明による猟銃ロッカーまたは装弾ロッカーに装着するセンサーを利用した盗難防止装置における装置では、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることは明らかである。
【実施例】
【００１３】
この発明による猟銃ロッカーまたは装弾ロッカーに装着するセンサーを利用した盗難防止装置における装置を実現した一例を図５により説明する。図５は猟銃ロッカーまたは装弾ロッカーに装着するセンサーを利用した盗難防止装置における装置を実現した一例で、スピーカー付センサー装置５１は猟銃ロッカーや装弾ロッカーに直に装着して異常時に大音量のアラームを発生するスピーカーが付属するロッカーや施錠の破壊等の行為により発生する音や衝撃や振動等の異常を感知することができＬＡＮやインターネット等を経由しコンピュータ５２に信号出力を行うことができるセンサー装置、コンピュータ５２はインターネットや通信回線等に接続してデータの送受信を行う通信装置や記憶装置および表示器等を有した電子計算機、ウェブカメラ５３はＬＡＮやインターネット等を経由しコンピュータ５２に撮影した映像を送信することができるウェブカメラ、無停電電源装置５４は電源が遮断した場合に内蔵のバッテリーによってコンピュータ５２に電源を供給することができる予備電源付きの電源、防犯装置用プログラム５５はコンピュータ５２を制御してスピーカー付センサー装置５１のスピーカーに大音量のアラームを発生させたりウェブカメラ５３から入力した映像を記録したり予め設定してある通報先に異常を通報およびウェブカメラ５３の映像の送信等の処理を行うコンピュータプログラム、スマートフォン５６は異常を感知したコンピュータ５２が通報する予め設定してある通報先であり猟銃ロッカーまたは装弾ロッカーの中に保管した猟銃または弾丸の管理者が所持している一般的な通信端末機器、防犯装置用アプリケーションソフト５７はスマートフォン５６を制御してコンピュータ５２より受信した異常の通報やウェブカメラ５３の映像の表示等を行うアプリケーションソフトである。
【００１４】
猟銃ロッカーまたは装弾ロッカーに装着した装置のスピーカー付センサー装置５１が、ロッカーや施錠の破壊等の行為により発生する音や衝撃や振動等の異常を感知するとＬＡＮやインターネット等を経由しコンピュータ５２に異常を知らせる信号を出力し、防犯装置用プログラム５５はコンピュータ５２を制御して、コンピュータ５２にＬＡＮやインターネット等を経由してスピーカー付センサー５１のスピーカーに大音量のアラームを発生させ、予め設定してある通報先であるスマートフォン５６にインターネットや通信回線等を経由して通報させ、ウェブカメラ５３から入力した映像をコンピュータ５２の内蔵の記憶装置に記録を開始させ、更にウェブカメラ５２の映像をインターネットや通信回線等を経由してスマートフォン５６に送信させる。停電や窃盗犯人等によって装置に供給される電源が遮断された場合は、無停電電源装置５４の内蔵の内蔵のバッテリーによってコンピュータ５２に電源を供給することで装置の正常動作を維持する。この無停電電源装置５４については、コンピュータ５２がデスクトップ型の様にコンピュータ内部にバッテリーを搭載していない型のコンピュータの場合に外部に装着する。
【００１５】
この様に猟銃ロッカーまたは装弾ロッカーに装着するセンサーを利用した盗難防止装置を実現した一例である図６の装置では、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。
【符号の説明】
【００１６】
１  通信手段
２  センサー
３  計算手段
４  カメラ
５  記録手段
６  スピーカー
７  電源部
８  予備電源部
９  電源監視手段
【図１】
2017146650.tif 000003
【図２】
2017146650.tif 000004
【図３】
2017146650.tif 000005
【図４】
2017146650.tif 000006
【図５】
2017146650.tif 000007
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
センサーを猟銃ロッカーまたは装弾ロッカーに取り付けることで、前記センサーが通常時には発生しない現象や変化を感知した場合、猟銃ロッカーまたは装弾ロッカーに異常が発生していることを報知することを特徴とする猟銃ロッカーまたは装弾ロッカーに装着するセンサーを利用した盗難防止装置。
【請求項２】
前記センサーは、前記猟銃ロッカーや装弾ロッカーまたは施錠の破壊時に発生する音を感知する音センサー、振動を感知する振動センサーまたは衝撃を感知する衝撃センサーであり、通常時には発生しない現象や変化を感知できる前記センサーを備えることを特徴とする請求項１記載の猟銃ロッカーまたは装弾ロッカーに装着するセンサーを利用した盗難防止装置。
【請求項３】
当該盗難防止装置は、異常発生を報知する手段としてインターネットや通信回線を介して外部との通信を行う通信手段を備えており、前記センサーが異常発生を感知すると前記通信手段がインターネットや通信回線を介して前記猟銃ロッカーおよび前記装弾ロッカーの設置場所の外部に異常発生を伝えることを特徴とする請求項１または２記載の猟銃ロッカーまたは装弾ロッカーに装着するセンサーを利用した盗難防止装置。
【請求項４】
前記通信手段は異常発生時には予め設定してある通報先に通報することができ、前記通報先が人による対応を行う場合は予め登録してある音声や音、前記通報先が人による対応でなく受信情報により動作する通信端末機器やコンピュータの場合はデータ通信によって異常発生を通報することを特徴とする請求項１、２または３記載の猟銃ロッカーまたは装弾ロッカーに装着するセンサーを利用した盗難防止装置。
【請求項５】
当該盗難防止装置は、異常発生を報知する手段としてブザーやスピーカーでの大音量のアラーム出力による報知機能を備えており、前記センサーが異常発生を感知すると前記報知機能が前記猟銃ロッカーおよび前記装弾ロッカーの設置場所の周囲に異常発生を報知することを特徴とする請求項１、２、３または４記載の猟銃ロッカーまたは装弾ロッカーに装着するセンサーを利用した盗難防止装置。
【請求項６】
当該盗難防止装置は、映像を撮影することのできるカメラを備えており、前記カメラは異常発生時には録画および前記通信手段によって前記猟銃ロッカーまたは前記装弾ロッカーの設置場所の外部に映像を送信することを特徴とする請求項１、２、３、４または５記載の猟銃ロッカーまたは装弾ロッカーに装着するセンサーを利用した盗難防止装置。
【請求項７】
当該盗難防止装置は、電源部からの電源供給を監視する電源監視手段と予備電源部を備えており、前記電源監視手段は前記電源部からの電源遮断を検出して、電源を前記電源部から前記予備電源部に切り替えて当該盗難防止装置を正常に動作させることを特徴とする請求項１、２、３、４、５または６記載の猟銃ロッカーまたは装弾ロッカーに装着するセンサーを利用した盗難防止装置。
【手続補正２】
【補正対象書類名】明細書
【補正対象項目名】全文
【補正方法】変更
【補正の内容】
【発明の詳細な説明】
【技術分野】
【０００１】この発明は、猟銃を猟銃ロッカーおよび弾丸を装弾ロッカーに保管する場合において、センサーが通常時には発生しない現象や変化を感知して異常発生を検出すると、大音量のアラームによって周囲に異常発生を報知してカメラで録画を行い、前記猟銃ロッカーおよび前記装弾ロッカーの設置場所の外部である予め設定してある通報先に異常発生を通報して前記カメラの映像を送信することができる猟銃ロッカーまたは装弾ロッカーに装着するセンサーを利用した盗難防止装置に関するものである。
【背景技術】
【０００２】  従来技術による猟銃ロッカーまたは装弾ロッカーに装着する盗難防止装置を図２より説明する。従来、装置ではなく機構的な方法で盗難を防止しており、図２は内閣府令で定める猟銃の保管設備の基準を示した図である。図２に示される様に、鋼１ｍｍ以上２１の金属製のロッカーを利用して、扉の上下が同時に固定できるかんぬき機構２２を有し、扉の蝶番を切断されても開けられない装置２３があり、施錠２４は鎌錠でされ、そしてロッカーごと持ち出すことができない様に背面の壁に固定２５して、押入れ等２６の中に隠すことでの盗難防止策である。この様に従来技術による猟銃ロッカーまたは装弾ロッカーに装着する盗難防止装置では、機構的な方法で盗難を防止する方法である。
【先行技術文献】
【非特許文献】
【０００３】
【非特許文献１】（社）全日本指定射撃場協会発行の「猟銃等取扱いの知識と実際」
【発明の概要】
【発明が解決しようとする課題】
【０００４】  図２に示される従来技術による猟銃ロッカーまたは装弾ロッカーに装着する盗難防止装置では、窃盗犯人がバール等の工具や電動工具等によって施錠やロッカーを破壊したり、ロッカーを固定してある壁から剥がすなどの行為によって、内部に保管してある猟銃や弾丸を持ち去るため、窃盗時に大きな音がしなかったり、留守や他の部屋に在宅するなどで猟銃ロッカーや装弾ロッカー設置場所に人が不在であったり、就寝中などの場合などには盗難を防ぐことが困難である。この発明は、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることを目的とする。
【課題を解決するための手段】
【０００５】この目的を達成するために、センサーを猟銃ロッカーまたは装弾ロッカーに取り付けることで、前記センサーが通常時には発生しない現象や変化を感知した場合、猟銃ロッカーまたは装弾ロッカーに異常が発生していることを報知することによって、前記猟銃ロッカーに保管された猟銃および前記装弾ロッカーに保管された弾丸の盗難を未然に防ぐことができる。【０００６】前記センサーは、前記猟銃ロッカーや装弾ロッカーまたは施錠の破壊時に発生する音を感知する音センサー、振動を感知する振動センサーまたは衝撃を感知する衝撃センサーであり、通常時には発生しない現象や変化を感知できる前記センサーを備えることで、前記猟銃ロッカーと前記装弾ロッカーの常時監視ができ異常発生を即時検出することによって、前記猟銃ロッカーに保管された猟銃および前記装弾ロッカーに保管された弾丸の盗難を未然に防ぐことができる。【０００７】当該盗難防止装置は、異常発生を報知する手段としてインターネットや通信回線を介して外部との通信を行う通信手段を備えており、前記センサーが異常発生を感知すると前記通信手段がインターネットや通信回線を介して前記猟銃ロッカーおよび前記装弾ロッカーの設置場所の外部に異常発生を伝えることで、通報先ではリアルタイムに異常発生を知ることができ、速やかに最善の対処をすることによって、前記猟銃ロッカーに保管された猟銃および前記装弾ロッカーに保管された弾丸の盗難を未然に防ぐことができる。【０００８】前記通信手段は異常発生時には予め設定してある通報先に通報することができ、前記通報先が人による対応を行う場合は予め登録してある音声や音、前記通報先が人による対応でなく受信情報により動作する通信端末機器やコンピュータの場合はデータ通信によって異常発生を通報することで、前記通報先を電話による通報と限定することなく、通信端末機器やコンピュータの上でのメール、メッセージ、アプリケーションソフトによる受信の様に電話以外の方法で異常発生をリアルタイムに知ることができ、前記通報先では速やかに最善の対処をすることによって、前記猟銃ロッカーに保管された猟銃および前記装弾ロッカーに保管された弾丸の盗難を未然に防ぐことができる。【０００９】当該盗難防止装置は、異常発生を報知する手段としてブザーやスピーカーでの大音量のアラーム出力による報知機能を備えており、前記センサーが異常発生を感知すると前記報知機能が前記猟銃ロッカーおよび前記装弾ロッカーの設置場所の周囲に大音量のアラーム出力によって異常発生を報知することで、犯人への威嚇効果および周囲が異常発生に気付くことによって、前記猟銃ロッカーに保管された猟銃および前記装弾ロッカーに保管された弾丸の盗難を未然に防ぐことができる。【００１０】当該盗難防止装置は、映像を撮影することのできるカメラを備えており、前記カメラは異常発生時には録画および前記通信手段によって前記猟銃ロッカーまたは前記装弾ロッカーの設置場所の外部に映像を送信することで、現場の映像を確認して状況を正確に把握することによって、盗難を阻止するために最善の対処ができ、もし盗難を未然に防ぐに至らなかった場合でも現場の録画映像によって速やかに最善の対処ができる。【００１１】当該盗難防止装置は、電源部からの電源供給を監視する電源監視手段と予備電源部を備えており、前記電源監視手段は前記電源部からの電源遮断を検出して、電源を前記電源部から前記予備電源部に切り替えて当該盗難防止装置を正常に動作させることで、停電時や犯人に電源を切断された場合でも当該盗難防止装置の正常動作を維持して前記猟銃ロッカーと前記装弾ロッカーの常時監視ができ、前記猟銃ロッカーに保管された猟銃および前記装弾ロッカーに保管された弾丸の盗難を未然に防ぐことができる。
【発明の効果】
【００１２】  この発明によれば、猟銃を猟銃ロッカーおよび弾丸を装弾ロッカーに保管する場合において、インターネットや通信回線等を介して外部と通信を行う通信手段１、ロッカーや施錠の破壊等の行為により発生する音や衝撃や振動等の異常を感知するセンサー２、センサー２から異常信号を入力して処理を行う計算手段３、異常時に映像を撮影するカメラ４、異常時にカメラ４の撮影した映像を記録するＳＤカードやハードディスク等の記録手段５、異常時に大音量のアラームを発するスピーカー６、装置を動作させるための電源を供給する電源部７、電源部７の供給する電源が遮断された時に装置に電源を供給する予備電源部８、電源部７から供給される電源を常に監視して遮断時には電源を予備電源部８に切り替える電源監視手段９を備えることによって、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。
【図面の簡単な説明】
【００１３】
【図１】この発明による猟銃ロッカーまたは装弾ロッカーに装着するセンサーを利用した盗難防止装置における装置の構成図である。
【図２】内閣府令で定める猟銃の保管設備の基準を示した図である。
【図３】この発明による猟銃ロッカーまたは装弾ロッカーに装着するセンサーを利用した盗難防止装置における装置のセンサー２が異常を感知した場合の装置の動作手順を説明するフローチャートである。
【図４】この発明による猟銃ロッカーまたは装弾ロッカーに装着するセンサーを利用した盗難防止装置における装置の電源である電源部７の電源が遮断された場合の装置の動作手順を説明するフローチャートである。
【図５】この発明による猟銃ロッカーまたは装弾ロッカーに装着するセンサーを利用した盗難防止装置における装置を実現した一例である。
【発明を実施するための形態】
【００１４】  この発明による猟銃ロッカーまたは装弾ロッカーに装着するセンサーを利用した盗難防止装置における装置構成および動作手順を図１、図３、図４より説明する。図１はこの発明による猟銃ロッカーまたは装弾ロッカーに装着するセンサーを利用した盗難防止装置の構成図であり、図３はセンサー２が異常を感知した場合の装置の動作手順を説明するフローチャートであり、図４は装置の電源である電源部７の電源が遮断された場合の装置の動作手順を説明するフローチャートである。
【００１５】  図３の３１ではセンサー２がロッカーや施錠の破壊等の行為により発生する音や衝撃や振動等の異常を感知すると、３２で計算手段３に信号出力を行い、３３で計算手段３はスピーカー６に大音量のアラームを発生させ、３４で通信手段１にインターネットや通信回線等を介して予め設定してある通報先に異常を通報させて、３５でカメラ４の映像を記録手段５に記録を開始し、３６でカメラ４の映像を通信手段１にインターネットや通信回線等を介して通報先に送信させる。
【００１６】  図４の４２では常に電源監視手段９が電源部７の監視をしており、４１で電源部７が供給する電源が遮断されると、電源監視手段９は電源の遮断を感知して電源を速やかに予備電源部８に切り替えて装置の正常動作を維持する。その後、電源監視手段９は電源部７の電源の供給の復帰を監視し、電源部７からの電源の供給が復帰した場合は速やかに電源を電源部７に切り替えて予備電源部８の充電を開始する。
【００１７】  これによって、この発明による猟銃ロッカーまたは装弾ロッカーに装着するセンサーを利用した盗難防止装置における装置では、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることは明らかである。
【実施例】
【００１８】  この発明による猟銃ロッカーまたは装弾ロッカーに装着するセンサーを利用した盗難防止装置における装置を実現した一例を図５により説明する。図５は猟銃ロッカーまたは装弾ロッカーに装着するセンサーを利用した盗難防止装置における装置を実現した一例で、スピーカー付センサー装置５１は猟銃ロッカーや装弾ロッカーに直に装着して異常時に大音量のアラームを発生するスピーカーが付属するロッカーや施錠の破壊等の行為により発生する音や衝撃や振動等の異常を感知することができＬＡＮやインターネット等を経由しコンピュータ５２に信号出力を行うことができるセンサー装置、コンピュータ５２はインターネットや通信回線等に接続してデータの送受信を行う通信装置や記憶装置および表示器等を有した電子計算機、ウェブカメラ５３はＬＡＮやインターネット等を経由しコンピュータ５２に撮影した映像を送信することができるウェブカメラ、無停電電源装置５４は電源が遮断した場合に内蔵のバッテリーによってコンピュータ５２に電源を供給することができる予備電源付きの電源、防犯装置用プログラム５５はコンピュータ５２を制御してスピーカー付センサー装置５１のスピーカーに大音量のアラームを発生させたりウェブカメラ５３から入力した映像を記録したり予め設定してある通報先に異常を通報およびウェブカメラ５３の映像の送信等の処理を行うコンピュータプログラム、スマートフォン５６は異常を感知したコンピュータ５２が通報する予め設定してある通報先であり猟銃ロッカーまたは装弾ロッカーの中に保管した猟銃または弾丸の管理者が所持している一般的な通信端末機器、防犯装置用アプリケーションソフト５７はスマートフォン５６を制御してコンピュータ５２より受信した異常の通報やウェブカメラ５３の映像の表示等を行うアプリケーションソフトである。【００１９】  猟銃ロッカーまたは装弾ロッカーに装着した装置のスピーカー付センサー装置５１が、ロッカーや施錠の破壊等の行為により発生する音や衝撃や振動等の異常を感知するとＬＡＮやインターネット等を経由しコンピュータ５２に異常を知らせる信号を出力し、防犯装置用プログラム５５はコンピュータ５２を制御して、コンピュータ５２にＬＡＮやインターネット等を経由してスピーカー付センサー５１のスピーカーに大音量のアラームを発生させ、予め設定してある通報先であるスマートフォン５６にインターネットや通信回線等を経由して通報させ、ウェブカメラ５３から入力した映像をコンピュータ５２の内蔵の記憶装置に記録を開始させ、更にウェブカメラ５２の映像をインターネットや通信回線等を経由してスマートフォン５６に送信させる。停電や窃盗犯人等によって装置に供給される電源が遮断された場合は、無停電電源装置５４の内臓のバッテリーによってコンピュータ５２に電源を供給することで装置の正常動作を維持する。この無停電電源装置５４については、コンピュータ５２がデスクトップ型の様にコンピュータ内部にバッテリーを搭載していない型のコンピュータの場合に外部に装着する。【００２０】  この様に猟銃ロッカーまたは装弾ロッカーに装着するセンサーを利用した盗難防止装置を実現した一例である図６の装置では、窃盗時に大きな音がしなかったり、留守や他の部屋に在宅するなどで猟銃ロッカーや装弾ロッカー設置場所に人が不在であったり、就寝中などの場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。
【符号の説明】
【００２１】  １          通信手段
２          センサー
３          計算手段
４          カメラ
５          記録手段
６          スピーカー
７          電源部
８          予備電源部
９          電源監視手段
【手続補正書】
【提出日】平成28年3月9日(2016.3.9)
【手続補正１】
【補正対象書類名】明細書
【補正対象項目名】０００４
【補正方法】変更
【補正の内容】
【０００４】  図２に示される従来技術による猟銃ロッカーまたは装弾ロッカーに装着する盗難防止装置では、窃盗犯人がバール等の工具や電動工具等による施錠やロッカーの破壊やロッカーを固定してある壁から剥がすなどの行為によって、内部に保管してある猟銃や弾丸を持ち去るため、窃盗時に大きな音がしない場合、留守や他の部屋に在宅するなどで猟銃ロッカーや装弾ロッカー設置場所に人が不在の場合や就寝中の場合などには盗難を防ぐことが困難である。この発明は、窃盗時に大きな音がしない場合、留守や他の部屋に在宅するなどで猟銃ロッカーや装弾ロッカー設置場所に人が不在の場合や就寝中の場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることを目的とする。
【手続補正２】
【補正対象書類名】明細書
【補正対象項目名】００１２
【補正方法】変更
【補正の内容】
【００１２】  この発明によれば、猟銃を猟銃ロッカーおよび弾丸を装弾ロッカーに保管する場合において、インターネットや通信回線等を介して外部と通信を行う通信手段１、ロッカーや施錠の破壊等の行為により発生する音や衝撃や振動等の異常を感知するセンサー２、センサー２から異常信号を入力して処理を行う計算手段３、異常時に映像を撮影するカメラ４、異常時にカメラ４の撮影した映像を記録するＳＤカードやハードディスク等の記録手段５、異常時に大音量のアラームを発するスピーカー６、装置を動作させるための電源を供給する電源部７、電源部７の供給する電源が遮断された時に装置に電源を供給する予備電源部８、電源部７から供給される電源を常に監視して遮断時には電源を予備電源部８に切り替える電源監視手段９を備えることによって、窃盗時に大きな音がしない場合、留守や他の部屋に在宅するなどで猟銃ロッカーや装弾ロッカー設置場所に人が不在の場合や就寝中の場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。
【手続補正３】
【補正対象書類名】明細書
【補正対象項目名】００１７
【補正方法】変更
【補正の内容】
【００１７】  これによって、この発明による猟銃ロッカーまたは装弾ロッカーに装着するセンサーを利用した盗難防止装置における装置では、窃盗時に大きな音がしない場合、留守や他の部屋に在宅するなどで猟銃ロッカーや装弾ロッカー設置場所に人が不在の場合や就寝中の場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができることは明らかである。
【手続補正４】
【補正対象書類名】明細書
【補正対象項目名】００２０
【補正方法】変更
【補正の内容】
【００２０】  この様に猟銃ロッカーまたは装弾ロッカーに装着するセンサーを利用した盗難防止装置を実現した一例である図６の装置では、窃盗時に大きな音がしない場合、留守や他の部屋に在宅するなどで猟銃ロッカーや装弾ロッカー設置場所に人が不在の場合や就寝中の場合などでも、センサー２によって猟銃ロッカーと装弾ロッカーを常時監視しており、異常を感知すると大音量のアラームによる犯人への威嚇と周囲への異常の報知、予め設定してある通報先への迅速な通報と現場の映像の送信等によって、盗難を未然に防ぐことができ、もし盗難を未然に防ぐに至らなかった場合でも異常感知後の迅速な通報と現場の映像によって速やかに最善の対処ができる。